(57)【要約】【課題】全相励磁による通常停止も、１相励磁等によるバウンド停止も、何れも、表示対象図柄を適正位置に良好に表示させる。【解決手段】リールを定常回転から通常の第１態様で停止させて表示対象図柄を所定位置に表示させるとき、表示対象図柄が所定位置に止まるタイミングで、ステッピングモータに全相励磁を印加し、リールを定常回転からバウンドする第２態様で停止させて表示対象図柄を所定位置に表示させるとき、全相励磁と同タイミングで、一部の相を励磁する非全相励磁を印加する。非全相励磁は、非全相励磁を印加する直前の励磁パターンの次に更新が予定される励磁パターンを飛び越して更新を進めた飛び越し励磁パターンから成る。【選択図】図１３
2018192159.tif 000002
【特許請求の範囲】
【請求項１】
一の相、他の相、前記一の相の反転相、前記他の相の反転相に対応した各磁極に正巻線及び逆巻線を巻回したステータと、複数のＮ極小歯及びＳ極小歯をもつロータとを有するステッピングモータを用い、前記各相に対する励磁パターンの更新により、複数の図柄をもつリールを定常回転させる遊技機において、
前記リールを定常回転から第１態様で停止させて表示対象図柄を所定位置に表示させるとき、前記表示対象図柄が所定位置に止まるタイミングで、前記ステータの全部の相を励磁する全相励磁を印加する仕様にしていると共に、
前記リールを定常回転から前記第１態様と異なる第２態様で停止させて表示対象図柄を所定位置に表示させるとき、前記全相励磁を印加するタイミングと同じタイミングで、前記ステータの一部の相を励磁する非全相励磁を印加する仕様にしており、
前記非全相励磁は、この非全相励磁を印加する直前の励磁パターンの次に更新が予定される励磁パターンを飛び越して更新を進めた飛び越し励磁パターンから成ることを特徴とする遊技機。
【請求項２】
定常回転中の前記各相に対する励磁パターンの更新は、励磁ポインタの更新により１相励磁パターンと２相励磁パターンとを交互に繰り返す１−２相励磁により実行し、
前記全相励磁と前記非全相励磁とは、定常回転中の２相励磁パターンの次に印加する仕様にしており、
前記全相励磁を印加した後に励磁を開放するときに前記全相励磁の印加直前の２相励磁パターンに対応した励磁ポインタから進める励磁ポインタの進み数と、前記非全相励磁を印加するときに印加直前の２相励磁パターンに対応した励磁ポインタから進める励磁ポインタの進み数とを同じにしている請求項１記載の遊技機。
【請求項３】
定常回転中の前記各相に対する励磁パターンの更新は、励磁ポインタの更新により１相励磁パターンと２相励磁パターンとを交互に繰り返す１−２相励磁により実行し、
前記全相励磁と前記非全相励磁とは  定常回転中の１相励磁パターンの次に印加する仕様にしており、
前記全相励磁を印加した後に励磁を開放するときに前記全相励磁の印加直前の１相励磁パターンに対応した励磁ポインタから進める励磁ポインタの進み数よりも、前記非全相励磁を印加するときに印加直前の１相励磁パターンに対応した励磁ポインタから進める励磁ポインタの進み数を小さくしている請求項１記載の遊技機。
【請求項４】
前記全相励磁を印加した後に励磁を開放するまでの全相励磁時間よりも、前記非全相励磁を印加した後に励磁を開放するまでの非全相励磁時間を長くしている請求項１〜３何れか一項に記載の遊技機。
【発明の詳細な説明】
【技術分野】
【０００１】
本発明は、回胴式遊技機、その他のスロットマシン、ぱちんこ遊技機、アーケードゲーム機等の遊技機に関する。特に、ステッピングモータにより駆動するリールを備える遊技機に係る。
【背景技術】
【０００２】
特許文献１に、１相励磁と２相励磁を交互に繰り返す１−２相励磁によりリールを定常回転させている状態から、全相励磁を印加してリールを停止させる通常の停止態様（段落００４５）と、１相励磁を印加してリールを順方向及び逆方向に振れながらバウンド停止させる特定の停止態様（段落００４４）とを設け、特定の遊技状態と関連づけてリールの停止態様を変更することにより、遊技者に有利な状態等にあることを示唆させる演出を行う遊技機が開示されている。
【先行技術文献】
【特許文献】
【０００３】
【特許文献１】特開平１０−１７４７３９号公報
【発明の概要】
【発明が解決しようとする課題】
【０００４】
全相励磁は、一の相とその反転相、他の相とその反転相を同時に励磁することによりステータの残留磁気を直ちに打ち消し、ロータがステータの残留磁気の影響を受けることなく、ロータ小歯がステータ磁極に広い面積で対面する安定位置に滑らかに停止できる。一方、全相励磁に代えて１相励磁を印加すると、一の相とその反転相、或は、他の相とその反転相の、１相励磁が印加されるどちらかの磁極対にロータ小歯が引き付けられるため、バウンドを生じさせて停止できる。
【０００５】
通常、全相励磁の開始から停止までの慣性で滑る変位量（ステップ角）を考慮して、表示対象図柄が表示窓中の適正位置で止まるタイミングで全相励磁を印加するため、１−２相励磁の２相励磁後に全相励磁を印加するのに代えて、２相励磁後に次更新予定の１相励磁を印加すると、その１相励磁位置でリールが急停止して表示対象図柄が適正位置から上にズレて止まるか、あるいは、その１相励磁位置で止まりきれずに励磁ポインタが更に８ステップ分（１−２相励磁パターンの繰返し単位分）進んだ位置でリールが停止し、図柄が適正位置から下に大きくズレて止まる。よって、表示図柄の視認性が大きく損なわれる恐れがある。
【０００６】
本発明の課題は、全相励磁による通常停止も、１相励磁等によるバウンド停止も、何れも、表示対象図柄を適正位置に良好に表示できる遊技機を提供する点にある。
【課題を解決するための手段】
【０００７】
図面の符号を括弧内に付記して例示する。
一の相（Ａ相）、他の相（Ｂ相）、前記一の相の反転相（Ａバー相）、前記他の相の反転相（Ｂバー相）に対応した各磁極に正巻線及び逆巻線を巻回したステータと、複数のＮ極小歯及びＳ極小歯をもつロータとを有するステッピングモータ（ＳＭ）を用い、前記各相に対する励磁パターンの更新により、複数の図柄をもつリール（１Ｌ，１Ｃ，１Ｒ）を定常回転させる遊技機を前提とする。
【０００８】
以上のものにおいて、
前記リールを定常回転から第１態様（通常態様）で停止させて表示対象図柄を所定位置に表示させるとき、前記表示対象図柄が所定位置に止まるタイミングで、前記ステータの全部の相を励磁する全相励磁を印加する仕様にしていると共に、
前記リールを定常回転から前記第１態様と異なる第２態様（バウンド態様）で停止させて表示対象図柄を所定位置に表示させるとき、前記全相励磁を印加するタイミングと同じタイミングで、前記ステータの一部の相を励磁する非全相励磁を印加する仕様にしており、
前記非全相励磁は、この非全相励磁を印加する直前の励磁パターンの次に更新が予定される励磁パターンを飛び越して更新を進めた飛び越し励磁パターンから成る。
【０００９】
前記非全相励磁を構成する前記飛び越し励磁パターンの好適例は、印加直前の励磁パターンの次更新励磁パターンを飛び越して更新を進めた次の８種類となる。
１）一の相の励磁による１相励磁（Ａ相励磁）
２）他の相の励磁による１相励磁（Ｂ相励磁）
３）一の相の反転相の励磁による１相励磁（Ａバー相励磁）
４）他の相の反転相の励磁による１相励磁（Ｂバー相励磁）
５）一の相と、他の相及び他の相の反転相の励磁による３相励磁（Ａ相励磁、Ｂ相励磁、Ｂバー相励磁）
６）他の相と、一の相及び一の相の反転相の励磁による３相励磁（Ｂ相励磁、Ａ相励磁、Ａバー相励磁）
７）一の相の反転相と、他の相及び他の相の反転相の励磁による３相励磁（Ａバー相励磁、Ｂ相励磁、Ｂバー相励磁）
８）他の相の反転相と、一の相及び一の相の反転相の励磁による３相励磁（Ｂバー相励磁、Ａ相励磁、Ａバー相励磁）
このうち、５）は１）と、６）は２）と、７）は３）と、８）は４）とほぼ等価になる。Ｂ相励磁とＢバー相励磁により、磁極Ｂ及び磁極Ｂバーの磁束は打ち消され、Ａ相励磁とＡバー相励磁により、磁極Ａ及び磁極Ａバーの磁束は打ち消されるからである。
【００１０】
以上により、非全相励磁は、この非全相励磁を印加する直前の励磁パターンの次に更新が予定される励磁パターンを飛び越して更新を進めた飛び越し励磁パターンから成るため、印加直前の励磁パターンに続いて次更新予定の１相励磁パターンにより停止させる場合のように、リールが急停止して表示対象図柄が適正位置から上にズレて止まるのを防止できると共に、リールがその１相励磁パターンの印加位置で止まりきれずに励磁パターンの繰り返し単位分進んだ位置でやっと停止して図柄が適正位置から下に大きくズレて止まるのを防止できる。よって、全相励磁の印加による第１態様の停止も、非全相励磁の印加による第２態様の停止も、何れの場合も、表示対象図柄が適正位置から大きくズレて表示されてしまうのを防止でき、停止態様を複数として遊技演出を豊富にできながら、何れの停止態様についても表示図柄の視認性を良好にできる。
【００１１】
以上のもので、  定常回転中の前記各相に対する励磁パターンの更新は、励磁ポインタの更新により１相励磁パターンと２相励磁パターンとを交互に繰り返す１−２相励磁により実行し、
前記全相励磁と前記非全相励磁とは、定常回転中の２相励磁パターンの次に印加する仕様にしており、
前記全相励磁を印加した後に励磁を開放するときに前記全相励磁の印加直前の２相励磁パターンに対応した励磁ポインタから進める励磁ポインタの進み数（３ステップ）と、前記非全相励磁を印加するときに印加直前の２相励磁パターンに対応した励磁ポインタから進める励磁ポインタの進み数（３ステップ）とを同じにしている。
【００１２】
磁化は、必ずＳ極とＮ極が対になって生じる。磁界では、プラス又はマイナスの電荷を単独で取り出せる真電荷に相当する物理的因子は存在し得ないからである。このため、定常回転中の各相に対する励磁パターンの更新は、例えば、下記番号の励磁ポインタ０，１，２，３，４，５，６，７，０，・・・の更新により、ステータの磁極に対し、Ｓ極とＮ極を対に生じさせながら実行される。ここでは、番号０，２，４，６の１相励磁パターンと番号１，３，５，７の２相励磁パターンとを交互に繰り返す１−２相励磁により実行するものとしている。
【００１３】
０．一の相の１相励磁（Ａ相１相励磁）は、
磁極Ａの正巻線Ａ１をオン、
磁極Ａバーの逆巻線Ａ２をオンとし、
磁極ＡをＳ極、磁極ＡバーをＮ極に磁化する。
１．一の相と他の相の２相励磁（ＡＢ相２相励磁）は、
磁極Ａの正巻線Ａ１及び磁極Ｂの正巻線Ｂ１をオン、
磁極Ａバーの逆巻線Ａ２及び磁極Ｂバーの逆巻線Ｂ２をオンにし、
磁極Ａ及び磁極ＢをＳ極、磁極Ａバー及び磁極ＢバーをＮ極に磁化する。
【００１４】
２．他の相の１相励磁（Ｂ相１相励磁）は、
磁極Ｂの正巻線Ｂ１をオン、
磁極Ｂバーの逆巻線Ｂ２をオンとし、
磁極ＢをＳ極、磁極ＢバーをＮ極に磁化する。
３．他の相と、一の相の反転相の２相励磁（ＢＡバー相２相励磁）は、
磁極Ｂの正巻線Ｂ１及び磁極Ａバーの正巻線Ａ１バーをオン、
磁極Ｂバーの逆巻線Ｂ２及び磁極Ａバーの逆巻線Ａ２をオンにし、
磁極Ｂ及び磁極ＡバーをＳ極、磁極Ｂバー及び磁極ＡをＮ極に磁化する。
【００１５】
４．一の相の反転相の１相励磁（Ａバー相１相励磁）は、
磁極Ａバーの正巻線Ａ１バーをオン、
磁極Ａの逆巻線Ａ２バーをオンとし、
磁極ＡバーをＳ極、磁極ＡをＮ極に磁化する。
５．一の相の反転相と、他の相の反転相の２相励磁（ＡバーＢバー相２相励磁）は、
磁極Ａバーの正巻線Ａ１バー及び磁極Ｂバーの正巻線Ｂ１バーをオン、
磁極Ａの逆巻線Ａ２バー及び磁極Ｂの逆巻線Ｂ２バーをオンにし、
磁極Ａバー及び磁極ＢバーをＳ極、磁極Ａ及び磁極ＢをＮ極に磁化する。
【００１６】
６．他の相の反転相の１相励磁（Ｂバー相１相励磁）は、
磁極Ｂバーの正巻線Ｂ１バーをオン、
磁極Ｂの逆巻線Ｂ２バーをオンとし、
磁極ＢバーをＳ極、磁極ＢをＮ極に磁化する。
７．他の相の反転相と、一の相の２相励磁（ＢバーＡ相２相励磁）は、
磁極Ｂバーの正巻線Ｂ１バー及び磁極Ａの正巻線Ａ１をオン、
磁極Ｂの逆巻線Ｂ２バー及び磁極Ａバーの逆巻線Ａ２をオンにし、
磁極Ｂバー及び磁極ＡをＳ極、磁極Ｂ及び磁極ＡバーをＮ極に磁化する。
【００１７】
なお、オン以外の他の巻線は全てオフである。また、上記のものでＳ極はＮ極に、Ｎ極はＳ極に読み替えてもよい。
【００１８】
全相励磁を印加する直前の２相励磁パターンは、番号１，３，５，７の何れか一つとなるが、何れも、ステータの各磁極つまり、磁極Ａ、磁極Ｂ、磁極Ａバー、磁極Ｂバーに巻回した正巻線と逆巻線のどちらか一方側はオンに、他方側はオフにある。この状態から全相励磁を印加すると、直前までオフであった他方側巻線が電源に接続されて閉じた回路を形成し、この閉じた回路に直前からオンであった一方側巻線による磁束が急激に鎖交することになる。このため、電磁誘導により他方側巻線に鎖交磁束の変化を妨げる向きに磁束を生じさせる誘導起電力に基づく誘導電流が流れる。この誘導電流は電源からの電流と同じ向きとなる。よって、一方側巻線による磁束を他方側巻線による反対磁束で急激に打ち消し、ステータの全部の相の磁極は速やかに除磁され、ステータは単なる鉄の塊に近い状態となる。
【００１９】
したがって、全相励磁を印加した場合、直前までの定常回転中の励磁パターンの更新による回転磁界を直ちに打ち消し、ステータの残留磁気を低減できる。これにより、ロータの挙動が不安定になるのを低減でき、ロータの慣性力が減衰してロータのＮ極小歯及び／又はＳ極小歯がステータの磁極に広い面積で近接して対面する１相励磁位置に相当する停止安定位置に滑らかに停止する。表示対象図柄が所定位置に止まるタイミングで全相励磁を印加しているため、表示対象図柄は適正位置に表示できることになる。全相励磁を印加した後に励磁を開放するとき、すなわち全部の相をオンからオフにするとき、全相励磁の印加直前の２相励磁パターンに対応した励磁ポインタから進める励磁ポインタの進み数は、ロータが慣性で変位する変位量に相当することになる。
【００２０】
全相励磁に代え、非全相励磁すなわち飛び越し励磁パターンを印加するとき、直前の２相励磁パターンに対応した励磁ポインタから進める励磁ポインタの進み数を、全相励磁によるロータの慣性による変位量に相当する励磁開放時の励磁ポインタの進み数と同じにしているため、飛び越し励磁パターンは、全相励磁を印加した場合の停止位置において、一の相とその反転相、或は、他の相とその反転相のどちらかの磁極対にロータのＮ極小歯及び／又はＳ極小歯を引き付けることになり、直前の２相励磁パターンの少し先において効果的に急制動をかけることができる。よって、非全相励磁を印加した場合も、全相励磁を印加した場合と同じ適正位置にて、表示対象図柄を良好に表示できる。
【００２１】
以上のもので、  定常回転中の前記各相に対する励磁パターンの更新は、励磁ポインタの更新により１相励磁パターンと２相励磁パターンとを交互に繰り返す１−２相励磁により実行し、
前記全相励磁と前記非全相励磁とは  定常回転中の１相励磁パターンの次に印加する仕様にしており、
前記全相励磁を印加した後に励磁を開放するときに前記全相励磁の印加直前の１相励磁パターンに対応した励磁ポインタから進める励磁ポインタの進み数（４ステップ）よりも、前記非全相励磁を印加するときに印加直前の１相励磁パターンに対応した励磁ポインタから進める励磁ポインタの進み数（２ステップ）を小さくしている。
【００２２】
本来、第１態様で停止させる全相励磁も、第２態様で停止させる非全相励磁も、定常回転中の２相励磁パターンの次に印加するのが好ましい。全相励磁を印加するときに電磁誘導に基づく誘導電流により電源負荷を軽減できながら残留磁気による影響を速やかに低減でき、全相励磁を印加する場合も非全相励磁を印加する場合も表示対象図柄を同じ適正位置に表示できるからである。しかし、表示対象図柄をリールの停止操作から所定位置まで引き込むのに要する時間が所定の許容値ギリギリになる場合等には、第１態様で停止させる全相励磁も、第２態様で停止させる非全相励磁も、定常回転中の１相励磁パターンの次に印加するのが適切になる場合がある。
【００２３】
この場合、１相励磁パターンの次に全相励磁を印加することになるが、２相励磁パターンの次に全相励磁を印加する場合に比べて、ロータが慣性で変位する変位量がより小さくなる要因は生じない。このため、１相励磁と全相励磁の間に２相励磁パターンを挿入した場合とほぼ同じ停止安定位置（１相励磁位置）で止まることになる。よって、全相励磁を印加した後に励磁を開放するとき、全相励磁の印加直前の１相励磁パターンに対応した励磁ポインタから進める励磁ポインタの進み数は、２相励磁パターンの次に全相励磁を印加した場合の２相励磁パターンに対応した励磁ポインタから進める励磁ポインタの進み数よりもほぼ１だけ大きい数となる。なお、この場合、表示対象図柄は適正位置から僅かに下に表示されることになる。
【００２４】
一方、１相励磁パターンの次に非全相励磁を印加する場合、直前の１相励磁位置の次の２相励磁位置を飛び越した一つ先の１相励磁位置において、一の相とその反転相、或は、他の相とその反転相のどちらかの磁極対にロータのＮ極小歯及び／又はＳ極小歯を引き付けて急制動をかけることが可能になる。このため、非全相励磁を印加するとき、印加直前の１相励磁パターンに対応した励磁ポインタから進める励磁ポインタの進み数は、２相励磁パターンの次に非全相励磁を印加した場合の２相励磁パターンに対応した励磁ポインタから進める励磁ポインタの進み数よりもほぼ１だけ小さい数となる。よって、全相励磁を印加した後に励磁を開放するときに印加直前の１相励磁パターンに対応した励磁ポインタから進める励磁ポインタの進み数よりも、非全相励磁を印加するときに印加直前の１相励磁パターンに対応した励磁ポインタから進める励磁ポインタの進み数を小さくすることにより、非全相励磁を印加した場合、表示対象図柄を適正位置に良好に表示できることになる。
【００２５】
以上のそれぞれのものにおいて、前記全相励磁を印加した後に励磁を開放するまでの全相励磁時間（２０１．１５ｍｓ）よりも、前記非全相励磁を印加した後に励磁を開放するまでの非全相励磁時間（２５０．３２ｍｓ）を長くしている。
【００２６】
これにより、非全相励磁を印加した場合、全相励磁を印加する場合に比べて、直前までの定常回転中の励磁パターンの更新による回転磁界の影響を含むステータの残留磁気の影響が残り、非全相励磁時間を全相励磁時間と同じにしていると、非全相励磁から励磁を開放したときに、ロータが非全相励磁の印加中に停止していた１相励磁位置に対応した停止安定位置から、別の停止安定位置等に変位する恐れがあるが、非全相励磁時間を全相励磁時間よりも長くしているため、そのような恐れを低減できる。
【図面の簡単な説明】
【００２７】
【図１】本発明遊技機の斜視図。
【図２】リール帯の展開図。
【図３】リールの斜視図。
【図４】遊技機の制御装置のブロック図。
【図５】ステッピングモータの励磁パターンの説明図。
【図６】２相励磁後の全相励磁による停止説明図。
【図７】２相励磁後の１相励磁による停止説明図。
【図８】１相励磁後の全相励磁による停止説明図。
【図９】１相励磁後の１相励磁による停止説明図。
【図１０】モータ制御処理のフローチャート。
【図１１】リール停止制御処理のフローチャート。
【図１２】ＲＢＢ当せん時の停止例の説明図その１。
【図１３】ＲＢＢ当せん時の停止例の説明図その２。
【発明を実施するための形態】
【００２８】
図１に、本発明を適用する回胴式遊技機を示す。回胴式遊技機は、一般にパチスロと呼ばれ、遊技機規則、すなわち平成１６年（２００４年）１月３０日の国家公安委員会規則第１での改正を経た昭和６０年（１９８５年）２月１２日の国家公安委員会規則第４「遊技機の認定及び型式の検定等に関する規則」に適合するスロットマシンである。なお、用語及びその技術内容は現行の遊技機規則に準じている。
【００２９】
遊技機筐体８Ｂは、ハニカムリアキャビネット８Ｒ及びキャビネット枠８Ｗ、扉状の上下フロントキャビネット８Ｅ，８Ｆを備える。上フロントキャビネット８Ｅには、演出動画や、いわゆるアシストタイムＡＴによる指示情報信号に対応したナビ等をフルカラーで映し出す上部液晶表示装置７１、サーチライトを模したドットマトリクス表示装置７３、リールパネル８、展開及び収納可能な組ランプｅ１〜３をもつ左上可動ランプＥ１，同組ランプｅ４〜６をもつ右上可動ランプＥ２，同組ランプｅ７〜９をもつ左下可動ランプＥ３，同組ランプｅ１０〜１２をもつ右下可動ランプＥ４、左上ランプＥ５，右上ランプＥ６、リールパネル８を囲む門型ランプＥ７〜Ｅ１１を備える。なお、左右は、遊技機に対面した遊技者目線における左右を意味する。
【００３０】
下フロントキャビネット８Ｆには、操作部８Ｓ、演出用の下部液晶ボタンＡＢを兼用し且つ上部液晶表示装置７１と協働した演出動画等を表示させる可動式ビジョンＡＴＶから成る下部液晶表示装置７２、その両脇のサイドランプＥ１２，Ｅ１３を備える。９１〜９４はＢＧＭや各種効果音等を出音するスピーカ、８Ｍはメダル払出口、８Ｇはメダル受皿である。筐体８Ｂの内部には、「ド、ド、ド、ドォー」等の重低音の再生により振動を発生させるウーハー９０を内蔵している。
【００３１】
リールパネル８の透明な表示窓８０の内部には、複数の回胴すなわち可変表示要素となる左リール１Ｌ、中リール１Ｃ、右リール１Ｒを備え、それぞれのリール帯１０Ｌ，１０Ｃ，１０Ｒの外周に全部で２０コマ配列した図柄のうち連続する３コマを窓越しに臨ませている。定常回転時を含む通常の正転時、各図柄は上から下にスクロールする。表示窓８０の窓越しに表示される複数列及び複数段の図柄表示位置、すなわち、左・中・右リール１Ｌ，１Ｃ，１Ｒの３列とそれぞれの上・中・下の３段との、列と段で特定される３×３＝９個の図柄表示位置において、例えば中段ライン（左中−中中−右中）のみを有効ラインとしている。なお、他のラインを含めて２本以上のラインを有効ラインとしてもよい。
【００３２】
操作部８Ｓには、遊技媒体たる遊技メダルを投入するメダル投入口２ｉ、開始ボタンｂｉ・上下左右の移動ボタンｂ１〜４・終了ボタンｂｏをもち、音量、光量、ＢＧＭ、キャラクター等を選択変更できる実機カスタマイズ用の十字キーユニットＢＴ、貯留装置の電磁的記録すなわちクレジットから一回の遊技に必要な規定数例えば３枚の掛けメダルを引き落とすベットボタン３、クレジット等に残る数のメダルをメダル受皿８Ｇに落す精算ボタン４、各リール１Ｌ，１Ｃ，１Ｒの可変表示（回転）を開始させるスタートスイッチとなるスタートレバー５、各リール１Ｌ，１Ｃ，１Ｒに対応して設け、対応するリールの可変表示（回転）を個別に停止させるストップスイッチとなる左ストップボタン６Ｌ、中ストップボタン６Ｃ、右ストップボタン６Ｒ、メダル投入口２ｉ下流のメダル詰り時に押すリジェクトボタン２Ｒ、ドアキーの操作穴８Ｋを備える。
【００３３】
また、現時のクレジット数を表示させるクレジット表示器ＤＬ１、入賞による払出メダル枚数を表示させると共にアシストタイムＡＴによる指示機能の作動時に指示情報信号を識別する番号を表示させるメインモニタＭＡを兼ねるペイアウト表示器ＤＬ２、そのドットを利用し、アシストタイムＡＴを生起可能な有利区間への移行が決定された次遊技から有利区間中にあるとき点灯させ、有利区間が終了した次遊技からの通常区間中に消灯させる区間表示器Ｅｋ、充当掛けメダルが１枚、２枚、３枚になる毎に点灯させる１〜３枚ランプＥＬ１〜３、掛けメダルが受付可能なとき点灯させるベットランプＥＬｂ、スタートレバー５による始動操作が可能なとき点灯させるスタートランプＥＬｓ、再遊技に係る図柄の組合せが表示されて再遊技が作動したとき点灯させるリプレイランプＥＬｒを含む遊技基本ランプ類３０を備える。
【００３４】
ベットランプＥＬｂの点灯時、掛けメダルが０の状態でメダル投入口２ｉからメダル１枚を入れると１枚ランプＥＬ１が点灯し、さらに１枚入れると２枚ランプＥＬ２が点灯し、さらに１枚入れると３枚ランプＥＬ３が点灯し、規定数に達する。規定数の掛けメダルになると、スタートランプＥＬｓが点灯し、スタートレバー５による始動操作が可能になる。規定数に達した状態からスタートレバー５を操作しないでメダル投入口２ｉにさらにメダルを入れると、クレジット表示器ＤＬ１のカウンタを進め、所定上限数である５０枚まで貯留可能となる。入賞により払出されたメダルも５０枚まではクレジットに加算され、５０枚を超えて払出されたメダルは、メダル払出口８Ｍからメダル受皿８Ｇに受止められる。
【００３５】
図２に示すように、各リール帯１０Ｌ，１０Ｃ，１０Ｒの外周面には、赤７、黒バー、チェリー、スイカ、ベル、リプレイ、ブランク１、ブランク２、ブランク３、ブランク４の全１０種類の図柄を、図柄番号０，１〜１９に対応させ且つ独特の縦の並びに従って印刷等により描いている。各リール帯１０Ｌ，１０Ｃ，１０Ｒの上端と下端は結ばれて輪状になり、エンドレスに図柄をスクロールさせる。
【００３６】
各リール１Ｌ，１Ｃ，１Ｒは２０コマの図柄を配する２０コマリールである。各リール１Ｌ，１Ｃ，１Ｒの駆動には、２１コマリール駆動用の１ステップ角が約１．４３度、１−２相励磁により５０４ステップで一回転する仕様のステッピングモータＳＭを用いている。２１コマリールの場合、一図柄あたり５０４／２１＝２４ステップの均等ステップ数を割付けることができるが、２０コマリールでは、５０４／２０＝２５．２で整数解にならないため、不均等ステップ数を割付けている。ステップ数の多い方を２６、ステップ数の少ない方を２４としている。何れも偶数としている。図柄番号０〜１９を５で割った整数解の余りが奇数となる図柄番号１，３，６，８，１１，１３，１６，１８の図柄に少ない方の２４ステップを割付け、その他の図柄番号０，２，４，５，７，９，１０，１２，１４，１５，１７，１９の図柄に多い方の２６ステップを割付けている。
【００３７】
図３に示すように、各リール１Ｌ，１Ｃ，１Ｒは、ステッピングモータＳＭ（１２Ｌ，１２Ｃ，１２Ｒ）の駆動軸たるシャフトＳＨに直結させる中心部のハブ１３と、放射状に延びる複数本例えば４本のスポーク１４と、各リール帯１０Ｌ，１０Ｃ，１０を巻回して貼付ける左右のリング１５ａ，１５ｂと複数の連結片１５ｃをもつリム１５とを構成要素にもち、これら各構成要素を光透過性又は光反射性のよい素材例えば透明樹脂材料で形成したリールドラム１６を有する。各リール１Ｌ，１Ｃ，１Ｒに設けるインデックスＩＤ（１Ｌｉ，１Ｃｉ，１Ｒｉ）は、リールドラム１６の３本のスポーク１４に設ける爪穴１７ａに二股爪１７ｂを係合させる３箇所の取付部１７を介して取付け、正転時のオンエッジ部１８ａとオフエッジ部１８ｂを見込む角度が１８０度で、丁度半周ずつオン期間とオフ期間とが生起される半円弧状で、且つ遮光性のよい素材例えば黒色樹脂材料で形成した帯部品１８から成る。
【００３８】
３箇所の取付部１７による３点支持により帯部品１８は、両端が突っ張り且つ真ん中が中心に向けて押され、シャフトＳＨの中心から等距離の弓状に良好に保持される。帯部材１８は、静止部材側に支持するホトセンサから成る各インデックスセンサＩＤｓ（１１Ｌ，１１Ｃ，１１Ｒ）のギャップＧＰ中を通過する。帯部品１８がギャップＧＰの光を遮るオンエッジ部１８ａの通過とその光を再び通過させるオフエッジ部１８ｂの通過が丁度半周毎に現れ、一回転中、２箇所のリール変位角すなわちオンエッジ対応角とオフエッジ対応角とで、ステッピングモータＳＭに供給する励磁パルスのステップ数を補正可能にしている。備考欄では、光の遮断及び通過位置に楔の先端を向けた簡略表記によりインデックスセンサＩＤｓを示している。各インデックスセンサＩＤｓ及び各ステッピングモータＳＭは、筐体内の収めるリールボックスの構成要素の一つとなるモータプレート１９に支持している。
【００３９】
表示窓８０中の例えば上段に定める所定基準位置に対し、図柄番号８番の図柄が通過終盤に達し、この図柄に割付けたステップ数２４の初期値２３から０に向けてカウントダウンする降順管理のステップ数が１になったとき、オンエッジ部１８ａがインデックスセンサＩＤｓに到達してインデックスセンサＩＤｓがオフからオンに切換わるオンエッジが検出される予定となり、オンエッジの検出によりオンエッジ補正がされる。同じく上段に定める所定基準位置に対し、図柄番号８番から１８０度変位した図柄番号１８番の図柄が通過終盤に達し、この図柄に割付けたステップ数２４の初期値２３から０に向けてカウントダウンする降順管理のステップ数が１になったとき、オフエッジ部１８ｂがインデックスセンサＩＤｓから離間してインデックスセンサＩＤｓがオンからオフに切換わるオフエッジが検出される予定となり、オフエッジの検出によりオフエッジ補正がされる。
【００４０】
オンエッジの検出時、所定基準位置を通過中の図柄の図柄番号を管理する図柄カウンタＦＧＣに図柄番号８番の８を、所定基準位置を通過中の図柄のステップ数を管理するステップカウンタＳＰＣに１を上書きにより各格納する。オンエッジの検出直前の図柄カウンタＦＧＣの図柄番号及びステップカウンタＳＰＣのステップ数が本来のあるべき図柄カウンタＦＧＣ＝８、ステップカウンタＳＰＣ＝２（１の直前の２）ではなく、仮にズレが生じていたとしても、オンエッジの検出により図柄カウンタＦＧＣに８、ステップカウンタＳＰＣに１を格納することにより、補正（オンエッジ補正）がされることになる。なお、図柄カウンタＦＧＣ及びステップカウンタＳＰＣは、各リール１Ｌ，１Ｃ，１Ｒ毎に主制御装置ＭＣのＲＷＭ上に設けている。
【００４１】
オフエッジの検出時、図柄カウンタＦＧＣに図柄番号１８番の１８を、ステップカウンタＳＰＣに１を上書きにより各格納する。オフエッジの検出直前の図柄カウンタＦＧＣの図柄番号及びステップカウンタＳＰＣのステップ数が本来のあるべき図柄カウンタＦＧＣ＝１８、ステップカウンタＳＰＣ＝２（１の直前の２）ではなく、仮にズレが生じていたとしても、オフエッジの検出により図柄カウンタＦＧＣに１８、ステップカウンタＳＰＣに１を格納することにより、補正（オフエッジ補正）がされることになる。
【００４２】
所定基準位置は有効ラインと一致させても一致させなくてもよく、表示窓８０中の中段や下段に定めてもよいし、表示窓８０外に定めてもよい。所定基準位置と有効ラインとが異なる場合には、所定基準位置に停止対象とする図柄を停止させると、有効ラインに当せん役に対応した図柄が表示される関係になるように停止対象の図柄を決定することになる。また、インデックスは、任意の固定した回転角においてリール一回転毎にオン又はオフが少なくとも１回検出されるものであれば、リールに一体化する突起物等をセンサで検知するものや、ステッピングモータのシャフトに一体化するディスクの切欠き等をセンサで検知するもの等、どのようなタイプのものでもよい。
【００４３】
図４に示すように、遊技機筐体８Ｂの内部に組込む制御装置ＣＮは、遊技の進行を管理し、内部抽せん、入賞によるメダルの払出し、再遊技の作動、役物の作動、アシストタイムＡＴの作動等の遊技者利益に関係する主遊技制御を実行させる所謂メイン側と呼ばれる遊技機規則でいう主基板に対応する主制御装置ＭＣと、この主制御装置ＭＣから一方向性通信仕様に従って送信する情報を受信して主制御装置ＭＣでの決定事項に基づいて演出制御を実行させる所謂サブ側と呼ばれる遊技機規則でいう周辺基板に対応する周辺制御装置ＳＣとを含む。一方向性通信仕様とは、主基板に関して遊技機規則で規定する「周辺基板が送信する信号を受信することができるものでないこと」を満たす通信仕様をいう。
【００４４】
主制御装置ＭＣは、ＲＯＭ及びＲＷＭを内蔵したメインＣＰＵを備える。メインＣＰＵは、Ｚ８０互換チップから成り、基本的なＺ８０仕様に所定の遊技機用拡張仕様を適用しており、例えば１２ＭＨｚのシステムクロック動作環境下で使用している。入力ポートＩ１には、各リールのインデックスセンサＩＤｓ、各ストップボタン６Ｌ，６Ｃ，６Ｒ、ベットボタン３、精算ボタン４、スタートレバー５、投入口２ｉ下流のメダルセレクター２に設ける投入センサーＳＥＮ０及び通過センサーＳＥＮ１，２、メダルセレクター２からメダルを引き継ぐＲシュートに設けるＲシュートセンサーＳＥＮ３、メダル払出装置ＨＰの出口に設ける払出センサーＳＥＮ４、メダル払出装置ＨＰのバケット容量を超えて余剰に投入されたメダルを貯める補助収納庫に設けるオーバーフローセンサーＳＥＮ５、フロントキャビネット８Ｅ，８Ｆの開放を検出するドア開閉スイッチＳｉ１、遊技場係員による操作により設定１（低）〜設定６（高）の６段階何れかに定める設定変更スイッチＳｉ２等の各信号を入力している。
【００４５】
出力ポートＯ１から、ＬＥＤドライバＤｒ０を介して各ストップボタンに内蔵する停止表示器６１，６２，６３すなわち停止不可表示時に点灯させる赤ＬＥＤ６１Ｒ，６２Ｒ，６３Ｒ及び停止可能表示時に点灯させる青ＬＥＤ６１Ｂ，６２Ｂ，６３Ｂを、モータドライバＤｒ１を介して各リールに駆動軸ＳＨを直結させるステッピングモータ１２Ｌ，１２Ｃ，１２Ｒ（ＳＭ）を、ＬＥＤドライバＤｒ２を介して遊技基本ランプ類３０を、ソレノイドドライバＤｒ３を介してメダルセレクター２からメダルを離脱させるブロッカー爪部２８を突出させるブロッカーソレノイド２８ｓを、モータドライバＤｒ４を介してメダル払出装置ＨＰのメダル払出モータＨＰｍを各制御している。
【００４６】
メインＣＰＵのＲＯＭ上には、スタートレバー５の操作を契機に、ハード又はソフトウェア上で高速更新する例えば２バイトカウンタから抽出する乱数値が、その取り得る０〜６５５３５の範囲内において役に対応づけて区分した何れの当せんエリア（籤（くじ）ともいう）に属するかに応じて、再遊技役、入賞役（小役）、役物に係る何れかの当せん役又は不当せんを決定する内部抽せん手段Ｋ、スタートレバー５の操作後で且つ前遊技の開始から４．１秒経過後に全リールを正転側に加速処理して定常回転速度に到達させる回胴回転装置制御手段Ｖ１と各リールを対応するストップボタンの操作により個別に停止させて有効ラインに当せん役に対応した図柄の組合せの表示を許容させる回転停止装置制御手段Ｖ２とを含むリール制御手段Ｖを設けている。
【００４７】
また、遊技結果が入賞なら所定配当数のメダルを払出すメダル払出手段Ｍ、遊技結果が再遊技の作動なら次ゲームの掛けメダルを同一規定数で自動投入するメダル自動投入手段Ｑ、遊技結果が再遊技確率の変動等を伴うのなら遊技状態を移行させる遊技状態移行手段Ｊ、所定のフリーズ抽せんにより当せん役別に定めた所定確率により各リールを逆回転等させる所定の回胴演出の当否を決定するフリーズ抽せん手段Ｗ、その当せんに係る回胴演出を実行させる回胴演出実行手段Ｇを設けている。
【００４８】
回胴回転装置制御手段Ｖ１による加速処理中、全リール１Ｌ，１Ｃ，１Ｒの全図柄に対して、内部抽せんで決定した当せん役に応じて、再遊技役＞入賞役（小役）＞役物の順に従う役別優先順位付けと、当せん役が入賞役（小役）の場合には、払出枚数が多い高配当の小役を優先引込みする枚数優先及び／又は図柄の組合せの種類が多い小役を優先引込みする個数優先に対応させる役内優先順位付けとをした停止候補検索データをＲＷＭ上で初期作成し、回転停止装置制御手段Ｖ２でする停止制御に備える。
【００４９】
停止候補検索データは、例えば、当せん役がリプレイ図柄の三つ揃いによる再遊技役なら、リプレイ図柄を有効ラインの中段に表示させる一つ上の図柄（規準位置となる上段の図柄）に第１優先データ８０Ｈを、他の図柄に最低優先データ１０Ｈを割付けたものとなる。当せん役が９枚のメダルを払出すスイカ図柄の三つ揃いによる入賞役なら、スイカ図柄を中段に表示させる一つ上の図柄に第２優先データ４０Ｈに配当の９を加算した４９Ｈを、他の図柄に１０Ｈを割付けたものとなる。当せん役が１種ビッグＲＢＢ（第一種特別役物に係る役物連続作動装置）に係る赤７の三つ揃いによる役物なら、赤７図柄を中段に表示させる一つ上の図柄に第３優先データ２０Ｈを、他の図柄に最低優先データ１０Ｈを割付けたものとなる。
【００５０】
なお、ＲＢＢの当せんフラグが持ち越されたＲＢＢ内部中に、図柄の組合せの一部に赤７図柄を含む再遊技役に当せんした場合は、その一部の赤７図柄を中段に表示させる一つ上の図柄は、２０Ｈ＋８０Ｈ＝Ａ０Ｈを割付けたものとなり、図柄の組合せの一部に赤７図柄を含む例えば「赤７」−「ベル」−「ベル」による３枚配当の入賞役に当せんした場合は、その一部の赤７図柄を中段に表示させる一つ上の図柄は、２０Ｈ＋４３Ｈ＝６３Ｈを割付けたものとなる。
【００５１】
回転停止装置制御手段Ｖ２による第１番目の停止では、ストップボタン６Ｌ，６Ｃ，６Ｒによる停止操作の検出に基づいて対応する停止要求フラグをオンにしたとき、原則として、図柄カウンタＦＧＣに記録された現在図柄を除いた後続５コマの図柄について、例外として、ステップカウンタＳＰＣが初期ステップ数近傍値（２６ステップ数の図柄は２５、２４ステップ数の図柄は２３）の場合は図柄カウンタＦＧＣに記録された現在図柄を含めた５コマの図柄について、加速処理中に作成した停止候補検索データに基づき、優先データが最大値となる図柄を検索するロジック演算を行うと共に、最大値となる図柄が複数ある場合は予めＲＯＭ上で定義した停止テーブルを参照することにより、最も引込み優先順位の高い唯一の停止図柄を決定する。そして、図柄カウンタＦＧＣが決定した停止図柄の図柄番号に更新されて現在図柄＝停止図柄になったとき、第１停止に係るリールのステッピングモータＳＭに、所定時間についてオンを継続させる全相励磁又は非全相励磁による停止励磁パターンを印加する。
【００５２】
なお、本実施形態のものでは、２種ビッグＣＢＢ（第二種特別役物に係る役物連続作動装置）に係る黒バーの三つ揃いによる役物も定義しており、２種ビッグＣＢＢ作動中における第二種特別役物ＣＢの作動中、少なくとも１以上のリール例えば右リール１Ｒについては、第１規定時間の「１９０ｍｓ以内の停止」に代えて、第２規定時間の「７５ｍｓ以内の停止」を実現するため、右リール１Ｒに限り、原則として、図柄カウンタＦＧＣに記録された現在図柄を除いた後続２コマの図柄から、例外として、ステップカウンタＳＰＣが初期ステップ数近傍値（２６ステップ数の図柄は２５〜２２、２４ステップ数の図柄は２３，２２）の場合は図柄カウンタＦＧＣに記録された現在図柄を含めた２コマの図柄から、停止図柄を決定する仕様にしている。
【００５３】
第１停止が完了すると、次のストップボタンの操作を受付可能とするまでの停止操作間隔期間中（例えば約２００ｍｓの間）に、第１停止による表示出目に応じて、表示の対象外となる図柄及び又は図柄の組合せの種類の数が変わることとなる図柄について、未停止リールの停止候補検索データを書き換え、第２番目以後の停止に備える。第２番目の停止では、第１番目の停止後に書き換えた停止候補検索データに基づき、上記同様なロジック演算あるいはロジック演算及び停止テーブルの参照により唯一の停止図柄を決定し、図柄カウンタＦＧＣにおいて現在図柄＝停止図柄となったとき、第２停止に係るリールのステッピングモータＳＭに、所定時間についてオンを継続させる全相励磁又は非全相励磁による停止励磁パターンを印加する。
【００５４】
第２停止が完了すると、最後のストップボタンの操作を受付可能とするまでの停止操作間隔期間中（例えば約２００ｍｓの間）に、第１，第２停止による表示出目に応じて、表示の対象外となる図柄及び又は当せんしていない役の完成を阻止するために蹴飛ばして停止不可とする図柄について、未停止リールの停止候補検索データを書き換え、第３番目の停止に備える。停止不可となる図柄の一つ上の図柄には停止不可の００Ｈを割付ける。第３番目の停止では、第２番目の停止後に書き換えた停止候補検索データに基づき、上記同様なロジック演算あるいはロジック演算及び停止テーブルの参照により唯一の停止図柄を決定し、図柄カウンタＦＧＣにおいて現在図柄＝停止図柄となったとき、第２停止に係るリールのステッピングモータＳＭに、所定時間についてオンを継続させる全相励磁又は非全相励磁による停止励磁パターンを印加する。こうして、全リール１Ｌ，１Ｃ，１Ｒの停止が完了し、１回の遊技の結果が導出される。
【００５５】
また、メインＣＰＵのＲＯＭ上には、アシストタイムＡＴの作動を設定の違いによらない均一な当せん確率にて抽せんするＲＢＢ等の内部当せん役等と関連付けた所定作動条件下で決定するＡＴ作動決定手段Ｈ１、アシストタイムＡＴの作動を延長させることとなる継続ゲーム数等の上乗せを内部当せん役等と関連付けた所定上乗せ条件下で決定するＡＴ上乗せ決定手段Ｈ２、アシストタイムＡＴの作動決定から作動終了までを管理するＡＴ継続管理手段Ｈ３、ストップボタン６Ｌ，６Ｃ，６Ｒの押し順に正解できたときに投入数を超える数のメダルを獲得できる押し順小役についての正解押し順ナビ等のＡＴ指示情報を主制御装置ＭＣで管理するメインモニタＭＡに出力させると共に周辺制御装置ＳＣで管理する液晶表示装置７１等に出力させるＡＴ指示情報出力手段Ｈ４を設けている。
【００５６】
赤７の三つ揃いに対応させる１種ビッグＲＢＢに当せんしたとき、内部抽せんに引き続いてする振分抽せん（２段階抽せん）により、例えば１２８／２５６＝１／２の確率でアシストタイムＡＴの当せんとし、押し順小役についての正解押し順ナビを出すと共に、再遊技確率が高い高確遊技状態に移行できる昇格再遊技役の押し順ナビを出し、高確遊技状態に移行させて、いわゆるアシストリプレイタイムＡＲＴを実行可能にしている。
【００５７】
周辺制御装置ＳＣは、ＲＯＭ及びＲＷＭをもつサブＣＰＵを備える。サブＣＰＵは、３２ビットＲＩＳＣ（Ｒｅｄｕｃｅｄ  Ｉｎｓｔｒｕｃｔｉｏｎ  Ｓｅｔ  Ｃｏｍｐｕｔｅｒ）チップマイコンから成り、例えば２００ＭＨｚを超えるシステムクロック動作環境下で使用している。サブＣＰＵは、汎用ポート制御機能Ｐｏ、調歩同期式シリアルＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）及びクロック同期式シリアルによるシリアル通信機能Ｓｒ、Ｉ２Ｃ（Ｉｎｔｅｒ−Ｉｎｔｅｇｒａｔｅｄ  Ｃｉｒｃｕｉｔ）コントロール機能Ｉｉ等の、入出力ポートＩ２／Ｏ２を介した通信制御機能と共に、演出制御の対象デバイス毎の専用制御機能を備える。
【００５８】
専用制御機能として、上下の液晶表示装置７１，７２に動画等を表示させる液晶表示機能Ｓｙ１、スピーカ９１〜９４及び／又はウーハー９０から効果音等を出力させる音声出力機能Ｓｙ２、各種ランプＥ１〜Ｅ１３及び表示窓８０に臨む９つの図柄をリール帯の背面から照明するリールバックランプＢＬ１〜９を点灯等させる電飾制御機能Ｓｙ３、可動ランプＥ１〜Ｅ４の展開及び収納用のモータｍ１〜ｍ４を駆動させるモータ制御機能Ｓｙ４等の各種機能を内蔵する。ＲＴＣは、二次電池Ｂｔでバックアップするリアルタイムクロックであり、遊技待機中、同一機種間で、下部液晶表示装置７２から上部液晶表示装置７１に一斉に蝶が舞い上がる等の同期演出が行えるようにしている。
【００５９】
入力ポートＩ２には、主制御装置ＭＣからの送信情報、十字キーユニットＢＴ、下部液晶ボタンＡＢの信号を入力している。主制御装置ＭＣからの送信情報には、メイン側初期化完了情報、ベットボタン３の操作情報を含むメダル投入情報、スタートレバー５の操作情報を含むリール始動情報、内部抽せんによる当せんフラグ情報、ストップボタン６Ｌ，６Ｃ，６Ｒの操作情報、遊技結果情報、遊技状態情報、フリーズ及び回胴演出情報、ＣＺ，ＡＲＴを含む有利区間移行情報、指示情報、上乗せ情報、有利区間終了情報、エラー情報等、主制御装置ＭＣで検出し又は決定若しくは実行する各種制御情報が含まれる。
【００６０】
サブＣＰＵによる演出制御の対象デバイスには、上下の液晶表示装置７１，７２の背後に配置する面光源ユニットであって、パルス幅変調ＰＷＭによるデューティ比の変更により輝度を調整可能としたＬＥＤバックライトによるディスプレイ用バックライト７１Ｂ，７２Ｂも含む。各液晶表示装置７１，７２は、各ＬＣＤドライバＤｒ５，６を介して制御し、各バックライト７１Ｂ，７２Ｂは、各ＬＥＤドライバＤｒ７，８を介して制御している。ドットマトリクス表示装置７３は専用のＬＥＤドライバＤｒ９を介して制御している。各種ランプＥ１〜１３及びリールバックランプＢＬ１〜９は、Ｉ２Ｃ仕様のＬＥＤドライバＤｒ１０〜１３を介して制御している。モータｍ１〜ｍ４は、モータドライバＤｒ１４を介して制御している。スピーカ９１〜９４及びウーハー９０は、デジタル／アナログ変換機能付きアンプＤｒ１５，１６を介して制御している。下部液晶ボタンＡＢをロックしてその押圧を禁止する下部液晶ボタンロッカーＡＲは、ソレノイドドライバＤｒ１７を介して制御している。
【００６１】
サブＣＰＵのＲＯＭ上には、主制御装置ＭＣから受信する主遊技制御の情報、及び／又は、周辺制御装置ＳＣの現在の演出制御の情報に基づいて、サブ側の演出状態を管理する演出状態管理手段Ｚを設けている。この演出状態管理手段Ｚは、主遊技制御の情報及び／又は演出制御の情報に基づいて、演出対象とする複数のデバイスで協働した演出、或は、特定のデバイスによる単独の演出を実行させる演出メッセージを決定する演出メッセージ決定手段Ｙを含む。
【００６２】
演出状態管理手段Ｚの統括下、演出メッセージ決定手段Ｙでの決定等に基づいて作動する次の各手段を設けている。すなわち、上部液晶表示装置７１に指示情報出力手段Ｈ３から出力する指示情報信号に従ったナビ、例えば、第１番目に左ストップボタン６Ｃを押す押し順に正解したとき９枚のメダルを払出す３択ベル役（入賞役）の当せん時に「左第１停止」に対応するボタン位置対応ナビ「１××」等を表示させる表示ナビ手段Ｘ１、この表示ナビに連動してスピーカ９１〜９４から操作すべきストップボタンが左か中か右かを音声で知らせる音声ナビ手段Ｘ２を設けている。
【００６３】
また、遊技状態、回胴演出、有利区間等に応じて液晶表示装置７１，７２及びドットマトリクス表示装置７３に映し出す動画等を変更表示させる画像演出手段Ｘ３、これに連動して各種ランプＥ１〜１３の点灯及び発光色を制御するランプ演出手段Ｘ４、スピーカ９１〜９４から効果音やＢＧＭを出音させる音声演出手段Ｘ５、モータｍ１〜４により可動ランプＥ１〜Ｅ４の展開及び収納を制御するメカ演出手段Ｘ６、下部液晶ボタンＡＢの押圧タイミング等に合わせてウーハー９０を作動させる振動演出手段Ｘ７等を設けている。
【００６４】
図５は、ステッピングモータＳＭの内部構造を直線上に展開して示したものである。ステッピングモータＳＭは、積層鋼板から成る鉄芯外周に１ピッチずつずらせた６３対のＮ極小歯Ｒｎ及びＳ極小歯Ｒｓをもつ永久磁石内蔵式のロータＲｍと、各磁極内周に６個のステータ小歯Ｓｔをもつ積層鋼板から成る４種類の磁極、すなわち、Ａ相正巻線Ａ１及びＡバー相逆巻線Ａ２バーを巻回した一の相に対応する磁極Ａ、Ｂ相正巻線Ｂ１及びＢバー相逆巻線Ｂ２バーを巻回した他の相に対応する磁極Ｂ、Ａバー相正巻線Ａ１バー及びＡ相逆巻線Ａ２を巻回した一の相の反転相に対応する磁極Ａバー（Ａの反転磁極。以下、磁極Ｃともいう）、Ｂバー相正巻線Ｂ１バー及びＢ相逆巻線Ｂ２を巻回した他の相の反転相に対応する磁極Ｂバー（Ｂの反転磁極。以下、磁極Ｄともいう）を全部で２組備えるステータＳｗとを有する。
【００６５】
円周方向に、Ａ，Ｂ，Ｃ，Ｄ，Ａ，Ｂ，Ｃ，Ｄの各磁極が並ぶ。磁極は全部で８極ある。各磁極は外周の環状磁路Ｓｑで一体化される。なお、一回転に要するステップ数及び又は小歯の構成を変更することにより、Ａ，Ｂ，Ｃ，Ｄの各磁極を、１組或は３組等としてもよい。
【００６６】
Ａ相正巻線Ａ１とＡ相逆巻線Ａ２とは磁極への巻回方向は逆だが直列接続され、励磁パターンのＡ相オンにより、磁極ＡをＳ極、磁極ＣをＮ極にする。Ｂ相正巻線Ｂ１とＢ相逆巻線Ｂ２とは磁極への巻回方向は逆だが直列接続され、励磁パターンのＢ相オンにより、磁極ＢをＳ極、磁極ＤをＮ極とする。Ａバー相正巻線Ａ１バーとＡバー相逆巻線Ａ２バーとは磁極への巻回方向は逆だが直列接続され、励磁パターンのＡバー相オンにより、磁極ＣをＳ極、磁極ＡをＮ極とする。Ｂバー相正巻線Ｂ１バーとＢバー相逆巻線Ｂ２バーとは磁極への巻回方向は逆だが直列接続され、励磁パターンのＢバー相オンにより、磁極ＤをＳ極、磁極ＢをＮ極とする。それぞれ、アンペアの右ネジの法則による。
【００６７】
小歯を一つにした等価モデルで示すとおり、０「Ａ相１相励磁」位置は、ロータのＮ極１番（Ｎ１極。以下、同様）はＳ極の磁極Ａに、ロータのＳ極３番（Ｓ３極。以下、同様）はＮ極の磁極Ｃに広い面積で各対面し、一の停止安定位置ＰＡとなる。２「Ｂ相１相励磁」位置は、Ｎ２極はＳ極の磁極Ｂに、Ｓ４極はＮ極の磁極Ｄに広い面積で各対面し、一の停止安定位置ＰＢとなる。４「Ａバー相１相励磁」位置は、Ｎ３極はＳ極の磁極Ｃに、Ｓ５極はＮ極の磁極Ａに広い面積で各対面し、一の停止安定位置ＰＣとなる。６「Ｂバー相１相励磁」位置は、Ｎ４極はＳ極の磁極Ｄに、Ｓ１極はＮ極の磁極Ｂに広い面積で各対面し、一の停止安定位置ＰＤとなる。
【００６８】
１「Ａ相及びＢ相の２相励磁」では、磁極Ａ，ＢがＳ極、磁極Ｃ，ＤがＮ極となる。３「Ｂ相及びＡバー相の２相励磁」では、磁極Ｂ，ＣがＳ極、磁極Ｄ，ＡがＮ極となる。５「Ａバー相及びＢバー相の２相励磁」では、磁極Ｃ，ＤがＳ極、磁極Ａ，ＢがＮ極となる。７「Ｂバー相及びＡ相の２相励磁」では、磁極Ｄ，ＡがＳ極、磁極Ｂ，ＣがＮ極となる。これら１、３、５、７の２相励磁位置は、０、２、４、６の１相励磁位置に比べて、不安定な位置にあり、ステータＳｗ側の磁化を取り除くと、ロータＲｍ側の永久磁石作用により、最短移動により停止安定位置ＰＡ，ＰＢ，ＰＣ，ＰＤの何れかで止まる。
【００６９】
定常回転中の各相に対する励磁パターンの更新は、励磁ポインタの更新により１相励磁パターンと２相励磁パターンとを、１割込時間ｔ＝１．４９ｍｓ毎に交互に繰り返す１−２相励磁により実行する。励磁ポインタ０の「Ａ相１相励磁」から励磁ポインタ７の「Ｂバー相及びＡ相の２相励磁」までの８ステップにより、ある一つの小歯が１小歯分について移動する。ロータＲｍの小歯は６３対あるため、８×６３＝５０４ステップで一回転することになる。各リール１Ｌ，１Ｃ，１Ｒにおいて、ステップ数の多い２６ステップの図柄も、ステップ数の少ない２４ステップの図柄も、何れも２６，２４という偶数であるため、図柄の１コマ移動は、１相励磁に始まり、２相励磁で終わらせることができる。励磁ポインタの更新順序が０，１，２，３，４，５，６，７，０，１，２・・・の場合は正転、０，７，６，５，４，３，２，１，０・・・の場合は逆転することになる。
【００７０】
１相励磁位置に対応する何れかの停止安定位置ＰＡ，ＰＢ，ＰＣ，ＰＤで止まっている停止状態から正転側に加速処理して定常回転に到達させる加速シーケンスは、励磁ポインタをプラス１した２相励磁パターンから励磁を始める。例えば、最初は４２割込時間（４２ｔ＝６２．５８ｍｓ）の長いオン時間の２相励磁、このオン時間を管理するシーケンスカウンタの１減算結果（１割込毎の減算結果）が０となった次のステップ更新で９割込時間（９ｔ＝１３．４１ｍｓ）の１相励磁、以後、１１割込時間（１１ｔ＝１６．３９ｍｓ）の２相励磁、１割込時間（ｔ＝１．４９ｍｓ）の１相励磁、４割込時間（４ｔ＝５．９６ｍｓ）の２相励磁、１割込時間（ｔ＝１．４９ｍｓ）の１相励磁、２割込時間（２ｔ＝２．９８ｍｓ）の２相励磁、１割込時間（ｔ＝１．４９ｍｓ）の１相励磁、１割込時間（ｔ＝１．４９ｍｓ）の２相励磁と、徐々にオン時間を短くしていき、７２ｔ＝１０７．２８ｍｓ経過後に定常回転に到達させる。
【００７１】
定常回転に到達後、０〜数十ｍｓ例えば５０ｍｓの所定の停止禁止期間を確保した後、各リール１Ｌ，１Ｃ，１Ｒについて最先のオンエッジ又はオフエッジの検出による初回補正をした後、各ストップボタン６Ｌ，６Ｃ，６Ｒに内蔵した赤ＬＥＤ６１Ｒ，６２Ｒ，６３Ｒの点灯を青ＬＥＤ６１Ｂ，６２Ｂ，６３Ｂの点灯に代え、ストップボタン６Ｌ，６Ｃ，６Ｒの操作を受付可能にする。
【００７２】
受付可能下での各ストップボタン６Ｌ，６Ｃ，６Ｒの操作により対応する停止要求フラグをオンとし、これに基づいて対応するリール１Ｌ，１Ｃ，１Ｒを定常回転から滑らかに停止させる通常態様たる第１態様の停止時、Ａ相，Ｂ相，Ａバー相，Ｂバー相の全相を所定時間について励磁（オン）する全相励磁による停止励磁パターンを印加する仕様にしている。この全相励磁は、図柄カウンタＦＧＣにおいて現在図柄＝停止図柄となるタイミングで印加する。
【００７３】
受付可能下での各ストップボタン６Ｌ，６Ｃ，６Ｒの操作により対応する停止要求フラグをオンとし、これに基づいて対応するリール１Ｌ，１Ｃ，１Ｒを定常回転から順方向に行き過ぎた後に逆方向に引き戻す肉眼で確認可能な比較的大きな振動（バウンド）を伴わせて急停止させるバウンド態様たる第２態様の停止時、Ａ相，Ｂ相，Ａバー相，Ｂバー相の何れか一つの相を所定時間について励磁（オン）する１相励磁による非全相励磁による停止励磁パターンを印加する仕様にしている。この非全相励磁は、全相励磁を印加する場合と同様、図柄カウンタＦＧＣにおいて現在図柄＝停止図柄となるタイミングで印加する。この非全相励磁は、この非全相励磁を印加する直前の励磁パターンの次に更新が予定される励磁パターンを飛び越して更新を進めた飛び越し励磁パターンから成る。
【００７４】
本実施形態では、１種ビッグＲＢＢに当せんし、２段階抽せんにより１／２の確率でアシストタイムＡＴにも当せんし、ＲＢＢの作動終了後にアシストリプレイタイムＡＲＴへの移行が確定しているときで、かつ、ＲＢＢの当せんゲーム又はＲＢＢ内部中のゲームにおいて、赤７図柄を有効ラインに表示できるとき、非全相励磁の印加によるバウンド態様の第２態様にて停止させ、これ以外、すなわち、ＲＢＢに非当せんのとき、ＲＢＢに当せんしてもアシストタイムＡＴに非当せんのとき、ＲＢＢ及びＡＴに当せんしても赤７図柄を有効ラインに表示できないときは、全相励磁の印加による通常態様の第１態様にて停止させる仕様にしている。
【００７５】
これに代え、又は、これに加えて、内部抽せんでの当せん確率が比較的低い特定の入賞役及び／又は再遊技役（レア役）に当せんし、この当せんによりアシストタイムＡＴの初当たりや継続ゲーム数の上乗せ等が決定された場合に、バウンド態様の第２態様の停止をしてもよい。また、アシストタイムＡＴとは無関係に、或は、該当する図柄を有効ラインに表示できるか否かにかかわらず、特定の役物や入賞役や再遊技役に当せんしたときに、バウンド態様の第２態様の停止をしてもよい。
【００７６】
図６に示すように、原則として、全相励磁は、定常回転中の２相励磁パターンの次に印加する仕様にしている。図示例では、励磁ポインタ７の「Ｂバー相及びＡ相の２相励磁」の次に全相励磁を印加している。全相励磁直前の「Ｂバー相及びＡ相の２相励磁」では、磁極Ａの正巻線Ａ１、磁極Ｂの逆巻線Ｂ２バー、磁極Ａバーの逆巻線Ａ２、磁極Ｂバーの正巻線Ｂ１バーはオンであり、各磁極の一方側巻線のみがオン状態にある。
【００７７】
この状態から全相励磁を印加すると、直前までオフであった各磁極の他方側巻線が電源に接続されて閉じた回路を形成し、この閉じた回路に直前からオンであった一方側巻線による磁束が急激に鎖交し、電磁誘導により他方側巻線に鎖交磁束の変化を妨げる向きに磁束を生じさせる、電源からの電流と同じ向きの誘導電流が流れる。このため、一方側巻線による磁束を他方側巻線による反対磁束で急激に打ち消し、ステータの残留磁気を直ちに低減できる。
【００７８】
全相励磁の開始位置は１相励磁位置の停止安定位置に対応するが、ロータの慣性力により、この位置で止まることはできず、次の２相励磁位置も停止安定位置ではないため通り過ぎ、この通過以後の１相励磁位置（停止安定位置）まで変位する。本実施形態のものでは、全相励磁の直前の２相励磁位置から数えて３ステップ先の１相励磁位置（停止安定位置）まで変位する。よって、直前の２相励磁位置から１．４３／２×３≒２．１５度変位する。３ステップ先の１相励磁位置で、順方向に僅かにオーバーシュートすることがあるが、ロータのＮ極小歯及び／又はＳ極小歯がステータの磁極に広い面積で近接して対面する位置に直ぐに引き戻され、肉眼では振動の確認がほぼ困難な綺麗な挙動により、３ステップ先の１相励磁位置に滑らかに停止する。
【００７９】
直前の２相励磁位置から３ステップ先で停止する約２．１５度の変位量を考慮して、直前の２相励磁位置を実際の停止位置から３ステップ手前に設定し、この位置で図柄カウンタＦＧＣの更新がされる関係にしているため、図柄カウンタＦＧＣにおいて現在図柄＝停止図柄のタイミングで全相励磁を印加すると、直前の２相励磁位置から３ステップ分変位して、停止図柄（上段図柄）の一つ下の有効ラインの中段に対応した表示対象図柄を、所定位置たる表示窓８０中の中段適正位置に表示できる。
【００８０】
全相励磁の開始からオンを継続する停止励磁時間たる全相励磁時間は、１３５割込に相当する１３５ｔ＝２０１．１５ｍｓとしている。この全相励磁時間の経過後、Ａ相，Ｂ相，Ａバー相，Ｂバー相の全相をオンからオフにして励磁を開放する。このとき、全相励磁の印加直前の２相励磁パターンに対応した励磁ポインタをプラス３して進める。このプラス３の励磁ポインタの進み数は、直前の２相励磁位置から慣性で変位する変位量に相当する。直前の２相励磁位置の励磁ポインタが７であるから、プラス３すると励磁ポインタは１０となり、１０は、１０−８＝２の２ということになる。次ゲームの開始により加速を再開するとき、励磁ポインタをプラス１した励磁ポインタ３の「Ｂ相及びＡバー相の２相励磁」パターンから励磁を始めることになる。
【００８１】
図６の例では、励磁ポインタ７の「Ｂバー相及びＡ相の２相励磁」の次に全相励磁を印加したが、励磁ポインタ１の「Ａ相及びＢ相の２相励磁」の次に全相励磁を印加した場合、励磁ポインタ１から３ステップ分変位して停止し、励磁開放時に励磁ポインタを１＋３＝４とし、４＋１の励磁ポインタ５の「Ａバー相及びＢバー相の２相励磁」パターンから加速を再開することになる。また、励磁ポインタ３の「Ｂ相及びＡバー相の２相励磁」の次に全相励磁を印加した場合、励磁ポインタ３から３ステップ分変位して停止し、励磁開放時に励磁ポインタを３＋３＝６とし、６＋１の励磁ポインタ７の「Ｂバー相及びＡ相の２相励磁」パターンから加速を再開することになる。さらに、励磁ポインタ５の「Ａバー相及びＢバー相の２相励磁」の次に全相励磁を印加した場合、励磁ポインタ５から３ステップ分変位して停止し、励磁開放時に励磁ポインタを５＋３＝８の０とし、０＋１の励磁ポインタ１の「Ａ相及びＢ相の２相励磁」パターンから加速を再開することになる。
【００８２】
図７に示すように、原則として、非全相励磁の飛び越し１相励磁は、定常回転中の２相励磁パターンの次に印加する仕様にしている。図示例では、励磁ポインタ７の「Ｂバー相及びＡ相の２相励磁」の次に、励磁ポインタを３進めて７＋３＝１０すなわち励磁ポインタ２の「Ｂ相１相励磁」の非全相励磁を印加している。この場合、直前の励磁ポインタ７の「Ｂバー相及びＡ相の２相励磁」から、３ステップ先の励磁ポインタ２の「Ｂ相１相励磁」位置において、Ｓ極に磁化された磁極ＢにロータのＮ極小歯が引き付けられ、Ｎ極に磁化された磁極ＢバーにロータのＳ極小歯が引き付けられる。
【００８３】
このため、慣性力に磁極からの吸引力が加わり、全相励磁を印加した場合よりも急速に３ステップ変位が生じ、順方向に比較的大きくオーバーシュートする。しかし、直ぐに、Ｓ極に磁化された磁極ＢにロータのＮ極小歯が再び引き付けられ、Ｎ極に磁化された磁極ＢバーにロータのＳ極小歯が再び引き付けられて急に逆戻りする。逆戻りし過ぎるが、再び、順方向に引戻される。複数回の振動の後、しばらくして振動が減衰して静定する。こうして、肉眼で確認できる比較的大きな振動を伴い、直前の２相励磁位置から３ステップ先でバウンド停止する。
【００８４】
２相励磁後に非全相励磁を印加するタイミングは、２相励磁後に全相励磁を印加するタイミングと同じタイミングに設定している。３ステップ先で停止する約２．１５度の変位量を考慮して、直前の２相励磁位置を実際の停止位置から３ステップ手前に設定し、この位置で図柄カウンタＦＧＣの更新がされる関係にしているため、図柄カウンタＦＧＣにおいて現在図柄＝停止図柄のタイミングで非全相励磁たる飛び越し１相励磁を印加すると、直前の２相励磁位置から３ステップ分変位して、停止図柄（上段図柄）の一つ下の有効ラインの中段に対応した表示対象図柄を、所定位置たる表示窓８０中の中段適正位置に表示できる。
【００８５】
非全相励磁たる飛び越し１相励磁の開始からオンを継続する停止励磁時間たる非全相励磁時間は、全相励磁時間よりも長い、１６８割込に相当する１６８ｔ＝２５０．３２ｍｓとしている。この非全相励磁時間の経過後、全相をオフにして励磁を開放する。既に飛び越し１相励磁の開始時に励磁ポインタをプラス３して７＋３＝１０の２に進めているため、飛び越し１相励磁の開始時の励磁ポインタの２が励磁開放時にも維持される。次ゲームの開始により加速を再開するとき、励磁ポインタをプラス１した励磁ポインタ３の「Ｂ相及びＡバー相の２相励磁」パターンから励磁を始めることになる。
【００８６】
非全相励磁時間は全相励磁時間よりも長いものとしているため、非全相励磁を印加した場合にもステータの残留磁気の影響を低減でき、励磁開放時にロータが別の停止安定位置等に変位する恐れを低減できる。なお、図７のもので、「Ｂ相１相励磁」による飛び越し１相に代えて、「Ｂ相、Ａ相、Ａバー相の３相励磁」に代えてもよい。この場合、Ａ相とＡバー相との同時励磁により、磁極Ａと磁極Ａバーの残留磁気を急速に低減でき、非全相励磁時間を、全相励磁時間と同じか、又は、全相励磁時間に近づけることができる。
【００８７】
図７の例では、励磁ポインタ７の「Ｂバー相及びＡ相の２相励磁」の次に励磁ポインタを３進めた励磁ポインタ７＋３＝１０で２の「Ｂ相１相励磁」による飛び越し１相励磁を印加したが、励磁ポインタ１の「Ａ相及びＢ相の２相励磁」の次に励磁ポインタ１＋３＝４の「Ａバー相１相励磁」による飛び越し１相励磁を印加してもよい。また、励磁ポインタ３の「Ｂ相及びＡバー相の２相励磁」の次に励磁ポインタ３＋３＝６の「Ｂバー相１相励磁」による飛び越し１相励磁を印加してもよい。さらに、励磁ポインタ５の「Ａバー相及びＢバー相の２相励磁」の次に励磁ポインタ５＋３＝８で０の「Ａ相１相励磁」による飛び越し１相励磁を印加してもよい。これらの場合に、飛び越し１相励磁の「Ａバー相１相励磁」は「Ａバー相、Ｂ相、Ｂバー相の３相励磁」に、同「Ｂバー相１相励磁」は「Ｂバー相、Ａ相、Ａバー相の３相励磁」に、同「Ａ相１相励磁」は「Ａ相、Ｂ相、Ｂバー相の３相励磁」にそれぞれ置換してもよい。
【００８８】
図８に示すように、例外として、全相励磁は、定常回転中の１相励磁パターンの次に印加する場合がある。図示例では、励磁ポインタ０の「Ａ相１相励磁」の次に全相励磁を印加している。全相励磁直前の「Ａ相１相励磁」では、磁極Ａの正巻線Ａ１、磁極Ａバーの逆巻線Ａ２はオンにあり、Ａ相及びＡバー相の磁極については電磁誘導に基づく誘導電流により残留磁気を直ちに低減できる。しかし、磁極Ｂ及び磁極Ｂバーの正巻線及び逆巻線は何れもオフであるため、対抗する磁束を同時に生じさせることになる磁極Ｂの正巻線Ｂ１と逆巻線Ｂ２バーのインピーダンスは過渡的に高い状態にあり、電流は流れにくく、同様に、対抗する磁束を同時に生じさせることになる磁極Ｂバーの正巻線Ｂ１バーと逆巻線Ｂ２のインピーダンスは過渡的に高い状態にあり、電流は流れにくく、Ｂ相及びＢバー相の磁極については残留磁気の低減効果は遅れる。
【００８９】
このため、１相励磁後に全相励磁を印加する場合は、２相励磁後に全相励磁を印加する場合に比べて、ロータが慣性で変位する変位量がより小さくなる要因は生じず、励磁ポインタ０の「Ａ相１相励磁」と全相励磁の間に励磁ポインタ１の「Ａ相及びＢ相の２相励磁」パターンを挿入した場合とほぼ同じ停止安定位置（１相励磁位置）で止まることになる。よって、全相励磁を印加した後に励磁を開放するとき、全相励磁の印加直前の１相励磁パターンに対応した励磁ポインタから進める励磁ポインタの進み数は、２相励磁パターンの次に全相励磁を印加した場合の２相励磁パターンに対応した励磁ポインタから進める励磁ポインタの進み数よりもほぼ１だけ大きい数すなわち本実施形態のものでは４となる。全相励磁時間は、１３５割込に相当する１３５ｔ＝２０１．１５ｍｓであり、励磁開放時、励磁ポインタを０＋４＝４とし、加速再開時は励磁ポインタ５の「Ａバー相及びＢバー相の２相励磁」から励磁を始める。
【００９０】
１相励磁後に全相励磁を印加する場合、オールオフの正巻線及び逆巻線に同時に電流を流す必要があるため電源負荷が大きくなるが、直前の１相励磁位置に対応する励磁ポインタから４ステップ先の１相励磁位置（停止安定位置）に、２相励磁後に全相励磁を印加した場合とほぼ遜色のない滑らかな挙動により停止させることができる。
【００９１】
ここで、原則とする２相励磁後の全相励磁を印加するタイミングよりも１ステップ手前の１相励磁位置の次に全相励磁を印加することができると仮定すると、直前の１相励磁位置から４ステップ分変位して、停止図柄（上段図柄）の一つ下の有効ラインの中段に対応した表示対象図柄を、所定位置たる表示窓８０中の中段適正位置に表示できることになる。しかし、この仮定によれば、図柄カウンタＦＧＣの更新前に全相励磁を印加することに帰し、この仮定自体が不適となる。結局、２相励磁後の全相励磁を原則としている以上、原則とする２相励磁後の全相励磁を印加するタイミングよりも１ステップ以上遅れたタイミングで全相励磁を印加することになり、表示対象図柄は適正位置から僅かに下に表示されることになる。
【００９２】
図８の例では、励磁ポインタ０の「Ａ相１相励磁」の次に全相励磁を印加したが、励磁ポインタ２の「Ｂ相１相励磁」の次に全相励磁を印加した場合、励磁ポインタ２から４ステップ分変位して停止し、励磁開放時に励磁ポインタを２＋４＝６とし、６＋１の励磁ポインタ７の「Ｂバー相及びＡ相の２相励磁」パターンから加速を再開することになる。また、励磁ポインタ４の「Ａバー相１相励磁」の次に全相励磁を印加した場合、励磁ポインタ４から４ステップ分変位して停止し、励磁開放時に励磁ポインタを４＋４＝８の０とし、０＋１の励磁ポインタ１の「Ａ相及びＢ相の２相励磁」パターンから加速を再開することになる。さらに、励磁ポインタ６の「Ｂバー相１相励磁」の次に全相励磁を印加した場合、励磁ポインタ６から４ステップ分変位して停止し、励磁開放時に励磁ポインタを６＋４＝１０の２とし、２＋１の励磁ポインタ３の「Ｂ相及びＡバー相の２相励磁」パターンから加速を再開することになる。
【００９３】
図９に示すように、例外として、非全相励磁の飛び越し１相励磁は、定常回転中の１相励磁パターンの次に印加する場合がある。図示例では、励磁ポインタ０の「Ａ相１相励磁」の次に飛び越し１相励磁を印加している。この飛び越し１相励磁は、励磁ポインタを１進めた励磁ポインタ１の「Ａ相及びＢ相の２相励磁」パターンを飛び越した励磁ポインタ２の「Ｂ相１相励磁」パターンとしている。この場合、直前の励磁ポインタ０の「Ａ相１相励磁」から、２ステップ先の励磁ポインタ２の「Ｂ相１相励磁」位置において、Ｓ極に磁化された磁極ＢにロータのＮ極小歯が引き付けられ、Ｎ極に磁化された磁極ＢバーにロータのＳ極小歯が引き付けられる。
【００９４】
このため、慣性力に磁極からの吸引力が加わり、全相励磁を印加した場合よりも急速に２ステップ変位が生じ、順方向に大きくオーバーシュートするが、更に８ステップ先まで変位することは粗ない。よって、直ぐに、Ｓ極に磁化された磁極ＢにロータのＮ極小歯が再び引き付けられ、Ｎ極に磁化された磁極ＢバーにロータのＳ極小歯が再び引き付けられて急に逆戻りする。逆戻りし過ぎるが、再び、順方向に引戻される。複数回の振動の後、しばらくして振動が減衰して静定する。こうして、肉眼で確認できる比較的大きな振動を伴い、直前の１相励磁位置から２ステップ先でバウンド停止する。
【００９５】
１相励磁後に非全相励磁を印加するタイミングは、１相励磁後に全相励磁を印加するタイミングと同様、原則とする２相励磁後の全相励磁を印加するタイミングよりも１ステップ以上遅れたタイミングとなる。このため、その遅れが１ステップの場合、２ステップ分の変位により、停止図柄（上段図柄）の一つ下の有効ラインの中段に対応した表示対象図柄を、所定位置たる表示窓８０中の中段適正位置に表示できることになる。非全相励磁時間は、１６８割込に相当する１６８ｔ＝２５０．３２ｍｓである。
【００９６】
図９の例では、励磁ポインタ０の「Ａ相１相励磁」の次に励磁ポインタを２進めた励磁ポインタ０＋２＝２の「Ｂ相１相励磁」による飛び越し１相励磁を印加したが、励磁ポインタ２の「Ｂ相１相励磁」の次に励磁ポインタ２＋２＝４の「Ａバー相１相励磁」による飛び越し１相励磁を印加してもよい。また、励磁ポインタ４の「Ａバー相１相励磁」の次に励磁ポインタ４＋２＝６の「Ｂバー相１相励磁」による飛び越し１相励磁を印加してもよい。さらに、励磁ポインタ６の「Ｂバー相１相励磁」の次に励磁ポインタ６＋２＝８で０の「Ａ相１相励磁」による飛び越し１相励磁を印加してもよい。これらの場合に、飛び越し１相励磁の「Ａバー相１相励磁」は「Ａバー相、Ｂ相、Ｂバー相の３相励磁」に、同「Ｂバー相１相励磁」は「Ｂバー相、Ａ相、Ａバー相の３相励磁」に、同「Ａ相１相励磁」は「Ａ相、Ｂ相、Ｂバー相の３相励磁」にそれぞれ置換してもよい。
【００９７】
図１０に、１．４９ｍｓの１割込時間毎にする各リール１Ｌ，１Ｃ，１Ｒの各ステッピングモータＳＭの制御フローを示す。先ず、ステッピングモータＳＭのモータ状態が、停止状態、加速状態、定常回転状態、停止中状態（停止状態に至るまでの過渡的状態）の何れにあるかを管理するＲＷＭ上に設けるモータ状態フラグを確認する（ステップｓ１、以下、ｓ＋ステップ番号で表記する）。停止状態なら何もせず即終了となる（ｓ２でＹＥＳ）。ｓ３でＹＥＳとなる加速状態は、スタートレバー５の操作後で且つ前遊技の開始から最低遊技間隔の４．１秒経過後にセットされる。加速処理では、シーケンスカウンタの１減算結果が０になる毎に（ｓ４でＹＥＳ）、４２割込の２相励磁から始める加速シーケンスの励磁パルスパターンを順にセットし（ｓ５）、加速シーケンスが終了しないうちは（ｓ６でＮＯ）、セットした励磁パルスパターンのオン時間に対応した割込数をシーケンスカウンタにセットする（ｓ７）。加速シーケンスが終了すると（ｓ６でＹＥＳ）、補正ポイントフラグＩＰＦに初期値０をセットし（ｓ８）、モータ状態を定常回転状態にセットする（ｓ９）。
【００９８】
定常回転状態になると（ｓ１０でＹＥＳ）、１割込毎に１相励磁パターン又は２相励磁パターンを交互にセットし（ｓ１１）、今回２相励磁（次回１相励磁）であるとき（ｓ１２でＹＥＳ）、又は、インデックスセンサＩＤｓの検出結果に変化がなくインデックスＩＤのエッジ検出が未だないとき（ｓ１３でＮＯ）、所定上限を超えて長期間インデックスＩＤのエッジが検出されない上限逸脱による回転エラーの有無を判定する（ｓ１４）。上限逸脱による回転エラーがないとき（ｓ１４でＮＯ）、一図柄のステップ数を管理するステップカウンタＳＰＣが既に０に達している場合は（ｓ１５でＹＥＳ）、図柄カウンタＦＧＣの現在図柄番号を更新し（ｓ１６）、更新した図柄番号に対応するステップ数の初期値をステップカウンタＳＰＣにセットする（ｓ１７）。ステップカウンタＳＰＣが０に達していない場合は（ｓ１５でＮＯ）、ステップカウンタＳＰＣを１減算して更新する（ｓ１８）。
【００９９】
定常回転処理において、インデックスセンサＩＤｓの検出結果が変化してインデックスＩＤのエッジが検出されても（ｓ１３でＹＥＳ）、未だインデックスフラグがオンされていないとき（ｓ１９でＮＯ）、インデックスセンサＩＤｓがオフからオンに変化するオンエッジの検出であった場合は（ｓ２０でＹＥＳ）、補正ポイントフラグＩＰＦが未だ初期値０のとき（ｓ２１でＹＥＳ）、定常回転状態にあるかを再確認した後（Ｓ２２でＹＥＳ）、補正ポイントフラグＩＰＦにオンエッジ対応角にて初回補正をする旨の「１」をセットし（Ｓ２３）、インデックスフラグをオフからオンにし（Ｓ２４）、オンエッジ補正により初回補正をする（Ｓ２５）。この初回補正後、補正ポイントフラグＩＰＦ＝１に基づいて（Ｓ２６でＹＥＳ）、オンエッジ補正により第２回目以降の補正がされる（Ｓ２５）。初回補正がオンエッジ補正でなくオフエッジ補正となる場合は、オンエッジが検出されても、ＩＰＦが１でないことに基づいて（Ｓ２６でＮＯ）、オンエッジ補正はされない。
【０１００】
一方、定常回転処理において、インデックスセンサＩＤｓの検出結果が変化してインデックスＩＤのエッジが検出されても（ｓ１３でＹＥＳ）、未だインデックスフラグがオンされていないとき（ｓ１９でＮＯ）、インデックスセンサＩＤｓがオンからオフに変化するオフエッジの検出であった場合は（ｓ２０でＮＯ）、補正ポイントフラグＩＰＦが未だ初期値０のとき（ｓ２７でＹＥＳ）、定常回転状態にあるかを再確認した後（ｓ２８でＹＥＳ）、補正ポイントフラグＩＰＦにオフエッジ対応角にて初回補正をする旨の「２」をセットし（ｓ２９）、インデックスフラグをオフからオンにし（ｓ３０）、オフエッジ補正により初回補正をする（ｓ３１）。この初回補正後、補正ポイントフラグＩＰＦ＝２に基づいて（ｓ３２でＹＥＳ）、オフエッジ補正により第２回目以降の補正がされる（ｓ３１）。初回補正がオフエッジ補正でなくオンエッジ補正となる場合は、オフエッジが検出されても、ＩＰＦが２でないことに基づいて（ｓ３２でＮＯ）、オフエッジ補正はされない。
【０１０１】
定常回転処理において、インデックスＩＤのエッジが検出され且つインデックスフラグがオンのときは（ｓ１９でＹＥＳ）、所定下限を超えて短期間のうちにインデックスＩＤのエッジが検出される下限逸脱による回転エラーの有無を判定し（ｓ３３）、回転エラーがない場合は（ｓ３３でＮＯ）、インデックスフラグがオンであることを再確認した（ｓ３４）直後に停止要求フラグのオンを確認し（ｓ３５）、インデックスフラグがオンで且つ停止要求フラグがオンのとき（ｓ３４でＹＥＳ且つｓ３５でＹＥＳ）、インデックスＩＤのエッジの検出による補正は行わずに、ステップカウンタＳＰＣの更新等（ｓ１５〜ｓ１８）を経て、停止要求フラグのオンに基づく停止処理を行うことになる（ｓ３６）。停止要求フラグがオンで（ｓ３６でＹＥＳ）、図柄カウンタＦＧＣの現在図柄が停止図柄に決定した図柄に更新されて現在図柄＝停止図柄となったとき（ｓ３７でＹＥＳ）、インデックスフラグのオンを再確認した後（ｓ３８でＹＥＳ）、停止要求フラグをリセットし（ｓ３９）、アシストリプレイタイムＡＲＴへの移行が確定し且つ赤７図柄を中段に表示できるときは非全相励磁（飛び越し１相励磁）、これ以外は全相励磁による停止励磁パターンをセットし（ｓ４０）、非全相励磁時間又は全相励磁時間による停止励磁時間をセットし（ｓ４１）、モータ状態を停止中状態にセットする（ｓ４２）。
【０１０２】
モータ状態が停止中状態にある停止中処理では、停止相励磁時間を減算し（ｓ４３）、その結果が０となってタイムアップした後（ｓ４４でＹＥＳ）、励磁を開放し（ｓ４５）、モータ状態を停止状態にセットする（ｓ４６）。こうして、各リール１Ｌ，１Ｃ，１Ｒ毎の回転及び停止の制御がされる。なお、上限逸脱又は下限逸脱による回転エラーが検出された場合、モータ状態を加速状態にセットし（ｓ４７）、加速処理から処理を繰り返すことになる。上限逸脱による回転エラーの検出（ｓ１４）は２相励磁のときに行い、下限逸脱による回転エラーの検出（ｓ３３）は１相励磁のときに行うこととしており、エラーを判定するためのカウンタビット数を節約している。
【０１０３】
図１１に、主制御装置ＭＣでする遊技メインフローからコールするリール停止制御処理、並びに、この中でサブルーチンコールする検索対象コマ決定処理のフローを示す。これらリール停止制御処理及び検索対象コマ決定処理は、割込み毎に実行する図１０のモータ制御処理と共に、リール制御手段Ｖを構成する。スタートレバー５の操作を契機とした内部抽せんでの当せん役（或は当せんエリア）に応じて、加速処理中、全リール１Ｌ，１Ｃ，１Ｒの全図柄に対して、停止候補検索データをＲＷＭ上で初期作成する（ｓ５０）。
【０１０４】
全リール１Ｌ，１Ｃ，１Ｒの加速処理が終了して定常回転に達し、全インデックスフラグがオンとなってストップボタン６Ｌ，６Ｃ，６Ｒの操作が受付可能になり（ｓ５１）、何れかの停止操作が有ると（ｓ５２）、検索対象コマ決定処理を実行する（ｓ５３）。
【０１０５】
先ず、図柄カウンタＦＧＣから基準位置に到達して通過中の現在図柄の番号を取得し（ｓ５４）、ＣＢＢ作動中のＣＢ作動中か否かを判定し（ｓ５５）、ＣＢＢ作動中のＣＢ作動中なら短い第２規定時間７５ｍｓ以内に停止させるべきリールすなわち右リール１Ｒか否かを判定する（ｓ５６）。ＣＢ作動中でない場合、又は、ＣＢ作動中でも第１規定時間１９０ｍｓ以内の停止でよいリール（左リール１Ｌ又は中リール１Ｃ）の停止の場合、検索コマ数に５（５コマ）をセットし（ｓ５７）、後の判定に用いる比較ステップ数に現在図柄が２６ステップ図柄なら２６−１＝２５をセットし（ｓ５８）、２６ステップ図柄でない２４ステップ図柄なら（ｓ５９）、２４−１＝２３をセットする（ｓ６０）。ＣＢＢ作動中の第２規定時間７５ｍｓ以内に停止すべきリール（この場合右リール１Ｒ）の停止の場合、検索コマ数に２（２コマ）をセットし（ｓ６１）、比較ステップ数に現在図柄が２６ステップ図柄なら２６−４＝２２をセットし（ｓ６２）、２６ステップ図柄でない２４ステップ図柄なら（ｓ６３）、２４−２＝２２をセットする（ｓ６４）。
【０１０６】
続いて、ステップカウンタＳＰＣの値と比較ステップ数を比較し（ｓ６５）、ステップカウンタＳＰＣの値が比較ステップ数以上でないときは（ｓ６６）、現在図柄番号に対して一つ上流に位置する図柄をストップボタンの押下位置図柄つまり０コマ目の図柄とし（ｓ６７）、ステップカウンタＳＰＣの値が比較ステップ数以上のときは、現在図柄番号の図柄を押下位置図柄つまり０コマ目の図柄とする（ｓ６８）。
【０１０７】
以上により、第１規定時間１９０ｍｓ以内での停止では、ステップカウンタＳＰＣの値が到達当初ステップ数を一回目に数えた１回だけの許容回数内の更新ステップ数つまり２６ステップ図柄では２５、２４ステップ図柄では２３のとき、現在図柄を０コマ目とした５コマの範囲で停止図柄を決定し、ステップカウンタＳＰＣの値が許容回数の１回を越えて更新の進んだ更新ステップ数つまり２６ステップ図柄では２４〜０、２４ステップ図柄では２２〜０のとき、現在図柄を含まずに一つ上流の図柄を０コマ目とした５コマの範囲で停止図柄を決定することになる。
【０１０８】
また、第２規定時間７５ｍｓ以内での停止では、ステップカウンタＳＰＣの値が到達図柄を更新させるまでに要するステップ更新回数が非許容回数の２２回以下となる前の更新ステップ数つまり２６ステップ図柄では２５〜２２、２４ステップ図柄では２３と２２のとき、現在図柄を０コマ目とした２コマの範囲で停止図柄を決定し、ステップカウンタＳＰＣの値が到達図柄を更新させるまでに要するステップ更新回数が非許容回数の２２回以下となった後の更新ステップ数つまり２６ステップ図柄も２４ステップ図柄も何れも２１〜０のとき、現在図柄を含まずに一つ上流の図柄を０コマ目とした２コマの範囲で停止図柄を決定することになる。
【０１０９】
検索対象コマ決定処理からのサブルーチンリターン後、５コマ又は２コマの検索対象コマについて停止候補検索データ上に記録されたデータを比較判定するロジック演算を行い（ｓ６９）、５コマ中又は２コマ中の最大値が一つの場合（ｓ７０）、その最大値の図柄を停止図柄に決定する（ｓ７１）。最大値が複数ある場合は、予めＲＯＭに常駐させた停止テーブルを参照して唯一の最大値の図柄を停止図柄に決定する（ｓ７２）。
【０１１０】
一のリールの停止が完了すると、全リール１Ｌ，１Ｃ，１Ｒが停止されるまで（ｓ７３）、次のストップボタンの操作を受付可能とするまでの停止操作間隔期間中に、停止済みの出目に応じて、表示の対象外となる図柄及び又は当せんしていない役の完成を阻止するために蹴飛ばして停止不可とする図柄について、未停止リールの停止候補検索データを書き換え、次の停止操作に備える（ｓ７４）。全リール１Ｌ，１Ｃ，１Ｒが停止されると、遊技結果を判定し（ｓ７５）、例えば、入賞の場合は所定配当のメダルを払出すことになる。
【０１１１】
図１２［Ａ］に示すように、１種ビッグＲＢＢの当せん時、例えば、２４ステップ図柄の番号８の赤７図柄が上段に現れ、図柄カウンタＦＧＣ＝８、ステップカウンタＳＰＣ＝２２（２１〜０でも同じ）で停止操作した場合、検索対象５コマのうち、赤７図柄を除く上流５コマのうち、０コマ目の番号７の図柄が２０Ｈ、１コマ目の番号６の図柄が１０Ｈ、２コマ目の番号５の図柄が１０Ｈ、３コマ目の番号４の図柄が１０Ｈ、４コマ目の番号３の図柄が１０Ｈのため、最大値２０Ｈの０コマ目が停止図柄に決定される。
【０１１２】
よって、１コマ未満の０コマ滑りにより、図柄カウンタＦＧＣが７に更新され、ステップカウンタＳＰＣが初期値２５に更新されたとき、停止励磁パターンを印加する。アシストリプレイタイムＡＲＴへの移行が確定していない場合、全相励磁を印加し、ＡＲＴへの移行が確定している場合、非全相励磁たる飛び越し１相励磁を印加することになる。何れも、図柄カウンタＦＧＣ＝７、ステップカウンタＳＰＣ＝２５直前の、ＦＧＣ＝８、ＳＰＣ＝０の２相励磁位置から３ステップ先の表示窓８０中の中段適正位置に、赤７図柄を、全相励磁印加時は通常停止でき、非全相励磁印加時はバウンド停止させることができる。
【０１１３】
図１２［Ｂ］に示すように、１種ビッグＲＢＢの当せん時、例えば、２４ステップ図柄の番号８の赤７図柄が上段に現れ、図柄カウンタＦＧＣ＝８、ステップカウンタＳＰＣ＝２３で停止操作した場合、検索対象５コマのうち、赤７図柄を含む上流５コマのうち、０コマ目の番号８の図柄が１０Ｈ、１コマ目の番号７の図柄が２０Ｈ、２コマ目の番号６の図柄が１０Ｈ、３コマ目の番号５の図柄が１０Ｈ、４コマ目の番号４の図柄が１０Ｈのため、最大値２０Ｈの１コマ目が停止図柄に決定される。
【０１１４】
よって、１コマ滑りにより、図柄カウンタＦＧＣが７に更新され、ステップカウンタＳＰＣが初期値２５に更新されたとき、停止励磁パターンを印加する。アシストリプレイタイムＡＲＴへの移行が確定していない場合、全相励磁を印加し、ＡＲＴへの移行が確定している場合、非全相励磁たる飛び越し１相励磁を印加することになる。何れも、図柄カウンタＦＧＣ＝７、ステップカウンタＳＰＣ＝２５直前の、ＦＧＣ＝８、ＳＰＣ＝０の２相励磁位置から３ステップ先の表示窓８０中の中段適正位置に、赤７図柄を、全相励磁印加時は通常停止でき、非全相励磁印加時はバウンド停止させることができる。
【０１１５】
図１３［Ｃ］に示すように、１種ビッグＲＢＢの当せん時、例えば、２６ステップ図柄の番号７のリプレイ図柄が上段に現れ、図柄カウンタＦＧＣ＝７、ステップカウンタＳＰＣ＝２４（２３〜０でも同じ）で停止操作した場合、検索対象５コマのうち、リプレイ図柄を除く上流５コマのうち、０コマ目の番号６の図柄が１０Ｈ、１コマ目の番号５の図柄が１０Ｈ、２コマ目の番号４の図柄が１０Ｈ、３コマ目の番号３の図柄が１０Ｈ、４コマ目の番号２の図柄が２０Ｈのため、最大値２０Ｈの４コマ目が停止図柄に決定される。
【０１１６】
よって、４コマ滑りにより、図柄カウンタＦＧＣが２に更新され、ステップカウンタＳＰＣが初期値２５に更新されたとき、停止励磁パターンを印加する。アシストリプレイタイムＡＲＴへの移行が確定していない場合、全相励磁を印加し、ＡＲＴへの移行が確定している場合、非全相励磁たる飛び越し１相励磁を印加することになる。何れも、図柄カウンタＦＧＣ＝２、ステップカウンタＳＰＣ＝２５直前の、ＦＧＣ＝３、ＳＰＣ＝０の２相励磁位置から３ステップ先の表示窓８０中の中段適正位置に、赤７図柄を、全相励磁印加時は通常停止でき、非全相励磁印加時はバウンド停止させることができる。
【０１１７】
図１３［Ｄ］に示すように、１種ビッグＲＢＢの当せん時、例えば、２６ステップ図柄の番号７のリプレイ図柄が上段に現れ、図柄カウンタＦＧＣ＝７、ステップカウンタＳＰＣ＝２５で停止操作した場合、検索対象５コマのうち、リプレイ図柄を含む上流５コマのうち、０コマ目の番号７の図柄が２０Ｈ、１コマ目の番号６の図柄が１０Ｈ、２コマ目の番号５の図柄が１０Ｈ、３コマ目の番号４の図柄が１０Ｈ、４コマ目の番号３の図柄が１０Ｈのため、最大値２０Ｈの０コマ目が停止図柄に決定される。
【０１１８】
この場合、停止図柄に決定された図柄は、既に基準位置に到達している０コマ目の番号７の図柄となるため、図柄カウンタＦＧＣ＝７で、ステップカウンタＳＰＣが初期値２５から２４に更新されたとき、停止励磁パターンを印加する。アシストリプレイタイムＡＲＴへの移行が確定していない場合、全相励磁を印加し、ＡＲＴへの移行が確定している場合、非全相励磁たる飛び越し１相励磁を印加することになる。何れも、図柄カウンタＦＧＣ＝７、ステップカウンタＳＰＣ＝２４直前の、ＦＧＣ＝７、ＳＰＣ＝２５の１相励磁位置の後に停止励磁パターンを印加することになるが、全相励磁印加時は、ＦＧＣ＝７、ＳＰＣ＝２５の１相励磁位置から４ステップ先の表示窓８０中の中段適正位置から２ステップ下に、赤７図柄を通常停止させ、非全相励磁印加時は、ＦＧＣ＝７、ＳＰＣ＝２５の１相励磁位置から２ステップ先の表示窓８０中の中段適正位置に、赤７図柄をバウンド停止させる。
【０１１９】
上記実施形態では、定常回転中の２相励磁後に全相励磁を印加した場合、直前の２相励磁位置から数えて３ステップ先の１相励磁位置で停止する仕様のものを用い、直前の２相励磁位置を実際の停止位置から３ステップ手前に設定し、この位置で図柄カウンタＦＧＣが更新される関係にし、２相励磁後の全相励磁後の励磁開放時の励磁ポインタの進み数を３、２相励磁後の非全相励磁（飛び越し１相励磁）印加時の励磁ポインタの進み数を３、１相励磁後の全相励磁後の励磁開放時の励磁ポインタの進み数を４、１相励磁後の非全相励磁印加時の励磁ポインタの進み数を２とした。しかし、定常回転中の２相励磁後に全相励磁を印加した場合、直前の２相励磁位置から数えて５ステップ先の１相励磁位置で停止する仕様のものなら、直前の２相励磁位置を実際の停止位置から５ステップ手前に設定し、この位置で図柄カウンタＦＧＣが更新される関係にし、２相励磁後の全相励磁後の励磁開放時の励磁ポインタの進み数を５、２相励磁後の非全相励磁印加時の励磁ポインタの進み数を５、１相励磁後の全相励磁後の励磁開放時の励磁ポインタの進み数を６、１相励磁後の非全相励磁印加時の励磁ポインタの進み数を４とする等、２相励磁後の全相励磁の印加開始から停止までの変位量に応じて、図柄カウンタＦＧＣの更新位置及び各励磁ポインタの進み数を設定すればよい。
上記実施形態では、回胴式遊技機に本発明を適用したが、その他のスロットマシン、ぱちんこ遊技機等に本発明を適用してもよい。以上の説明中、具体的数字や図柄等は一例示に過ぎない。
【符号の説明】
【０１２０】
１Ｌ；左リール，１Ｃ；中リール，１Ｒ；右リール
２ｉ；メダル投入口、２；メダルセレクター
３；ベットボタン、４；精算ボタン
５；スタートレバー、６Ｌ，６Ｃ，６Ｒ；各ストップスイッチ
７１；上部液晶表示装置、７２；下部液晶表示装置
８；リールパネル、８０；表示窓、９０；振動発生装置
ＣＮ；制御装置、ＭＣ；主制御装置、ＳＣ；周辺制御装置
Ｋ；内部抽せん手段、Ｖ；リール制御手段
Ｖ１；回胴回転装置制御手段、Ｖ２；回転停止装置制御手段
ＳＭ（１２Ｌ，１２Ｃ，１２Ｒ）；ステッピングモータ
ＩＤ（１Ｌｉ，１Ｃｉ，１Ｒｉ）；インデックス
ＩＤｓ（１１Ｌ，１１Ｃ，１１Ｒ）；インデックスセンサ
【図１】
2018192159.tif 000003
【図２】
2018192159.tif 000004
【図３】
2018192159.tif 000005
【図４】
2018192159.tif 000006
【図５】
2018192159.tif 000007
【図６】
2018192159.tif 000008
【図７】
2018192159.tif 000009
【図８】
2018192159.tif 000010
【図９】
2018192159.tif 000011
【図１０】
2018192159.tif 000012
【図１１】
2018192159.tif 000013
【図１２】
2018192159.tif 000014
【図１３】
2018192159.tif 000015